(57)【要約】      （修正有）【課題】車内で少量のゴミを便利に捨てたいとき、車内のスペースを狭くせず、居住性にも支障のない便利な小型のごみ入れを提供する。【解決手段】ほぼ長方体の形に底を取り付けて、そのほぼ長方体の片側の内側上面に長手方向長さより短い薄膜の一端を固着し、薄膜はほぼ長方体の内面に沿わせて内面を覆い長手方向の他端から手でつまめる長さ分を垂れ下げた状態で、垂れ下がった部分が容易に移動しない様、粘着剤または磁石または面ファスナーで固定したり、他の嵌合する方法で固定した小型ごみ入れ１を着脱自在にするため、薄膜を固定した側の長手方向にぶら下げるためのフックを設け、車のドアのドリンクボックスの淵、座席の裏側のポケットの淵に差し込み、ゴミがたまったら、小型ごみ入れを淵から外して、車外の大きなごみ入れにゴミを捨てる。捨てるときは小型ごみ入れをさかさまにし固着していない方の薄膜の固定を外した後、下側に引っ張ることで取り出しにくいゴミも一瞬で大きなごみ入れに入れることが出来る。【選択図】図１
0003224116.tif 000002
【実用新案登録請求の範囲】
【請求項１】
ほぼ長方体の形に底を取り付けて、そのほぼ長方体の長手方向の片側の内側上面に長手方向長さより短い薄膜の一端を固着し、薄膜はほぼ長方体の内面に沿わせて内面を覆い長手方向の他端から手でつまめる長さ分を垂れ下げた状態で、垂れ下がった部分が容易に移動しない様、粘着剤または磁石またはマジックテープ（登録商標）で固定したり、他の嵌合する方法で固定した小型ごみ入れを着脱自在にするため、薄膜を固着した側の長手方向にぶら下げるためのフックを設け、車のドアのドリンクボックスの淵、座席の裏側のポケットの淵に差し込み、ゴミがたまったら、小型ごみ入れを淵から外して、車外の大きなごみ入れにゴミを捨てる。捨てるときは小型ごみ入れをさかさまにし固着していない方の薄膜の固定を外した後、下側に引っ張ることで取り出しにくいゴミも一瞬で大きなごみ入れに入れることが出来る。ゴミを出した後の薄膜は元の位置へ戻しておく。このような特徴を持つ小型ごみ入れ。
【考案の詳細な説明】
【技術分野】
【０００１】
本考案はスペースが狭い車内で運転に支障なく少量のゴミを捨てるときに便利で有用な小型ごみ入れに関する。
【背景技術】
【０００２】
車内でティッシュペーパーで鼻をかんだもの、食べ物の包装袋、噛み終わったガムを紙に包んで捨てたいとき、特に運転者は近くに大きなごみ入れを置けず、捨て場所に困っていた。同乗者も大きなごみ入れは車内のスペースを狭くし、自動車の居住性を悪くさせており、困っていた。
【先行技術文献】
【特許文献】
【０００３】
【特許文献１】この種の従来技術としては、公開実用昭和６３−１５９３３７があるが構造が複雑であること、取り付けが容易でないこと、市販されていないため一般人への普及が難しい。
【特許文献２】特開平１１−３０１３５５があるが、自動車メーカーが販売しない限り一般人への普及は難しく、一般人がコンソールボックスの改造を行うことは難しい。また、ごみ入れはコンソールボックスの蓋を開ける必要があり、面倒であるとともに同乗者から離れているため、同乗者は入れにくい。
【非特許文献】
【０００４】
【非特許文献１】紙袋やポリ袋を座席や空きスペースに置いてごみ入れにすることもあるが、見た目が悪く、窓を開けたとき車外へ飛んでいくことも考えられる。
【考案の概要】
【考案が解決しようとする課題】
【０００５】
車内のスペースを有効に活用でき、運転者、同乗者の動きに支障なく、車内で発生した小さなゴミを容易に捨てられ、たまったゴミは車外の大きなごみ入れに容易に捨てられる小さなごみ入れがなかった。
【課題を解決するための手段】
【０００６】
ほぼ長方体の形に底を取り付けて、そのほぼ長方体の長手方向の片側の内側上面に長手方向長さより短い薄膜の一端を固着し、薄膜はほぼ長方体の内面に沿わせて内面を覆い長手方向の他端から手でつまめる長さ分を垂れ下げた状態で、垂れ下がった部分が容易に移動しない様、粘着剤または磁石またはマジックテープ（登録商標）で固定したり、他の嵌合する方法で固定した小型ごみ入れを着脱自在にするため、薄膜を固着した側の長手方向にぶら下げるためのフックを設け、車のドアのドリンクボックスの淵、座席の裏側のポケットの淵に差し込み、ゴミがたまったら、小型ごみ入れを淵から外して、車外の大きなごみ入れにゴミを捨てる。捨てるときは小型ごみ入れをさかさまにし固着していない方の薄膜の固定を外した後、下側に引っ張ることで取り出しにくいゴミも一瞬で大きなごみ入れに入れることが出来る。ゴミを出した後の薄膜は元の位置へ戻しておく。このような特徴を持つ小型ごみ入れ。
【考案の効果】
【０００７】
運転席側ドアのドリンクポケットの淵に本案の小型ごみ入れが容易に掛けられるか、運転、車への乗り降りに支障がないか、ゴミは小型ごみ入れに容易に捨てられるか、たまったゴミの廃棄は容易にできるかを確認し、ゴミを捨てた小型ごみ入れが容易にドリンクポケットの淵に取り付けられるか確認した結果、いずれも満足する結果が得られた。同様に助手席側ドアのドリンクポケットの淵および座席の後ろのポケットの淵でも同様に確認し、満足する結果が得られた。
【図面の簡単な説明】
【０００８】
【図１】運転席側ドアのドリンクポケットの淵に本案小型ごみ入れを刺し込んだ一実施例を示す斜視図
【図２】助手席裏側のポケットの淵に本案の小型ごみ入れを刺し込んだ時の一実施例を示す斜視図
【図３】本案小型ごみ入れの一実施例を示す正面図
【図４】図３の右側面図
【図５】本案小型ごみ入れの他の一実施例の正面図
【図６】図５の右側面図
【考案を実施するための形態】
【０００９】
以下に図示の実施例に基づいて本考案をさらに詳細に説明する。
【実施例】
【００１０】
図１は本考案の一実施例を示す斜視図である。運転席側ドアのドリンクポケットの淵に容易に取り付け取り外しができる。同じように助手席側のドアのドリンクポケットの淵にも容易に取り付け取り外しができる。図２は助手席の裏側のポケットの淵に本考案の一実施例を取り付けたことを示す斜視図であり、容易に取り付け取り外しができる。図３は一実施例の小型ごみ入れの正面図である。ゴミを入れる本体はポリエチレンで淵に差し込み取り付けるためのフック１１が設けられ、厚み３ｍｍ、内寸縦４５ｍｍ、横１１０ｍｍ、深さ９０ｍｍである。本体の内寸１１０ｍｍのフック側内側の上側に１０ｍｍ幅、長さ１００ｍｍの両面テープで横１００ｍｍ、縦２７０ｍｍの０．１ｍｍのポリウレタンのシート９の幅１００ｍｍ側を傾きがないようにほぼ中央に貼り付けた。ポリウレタンのシート９は本体の内側に沿って内側を覆い、端部は垂れ下がらせ、垂れ下がった部分が容易に移動しない様、両面テープ１０に当着させた。図５は本案件の他の一実施例であり、垂れ下がったポリウレタンのシート９が容易に移動しない様、勘合した一例を示すものである。ポリウレタンのシート９と同じ目的のシートは合成樹脂で柔軟性、耐水性があり、ゴミ出しを行う際に支障のない十分な引っ張り強度があればよい。また。本体は安価で成型性に優れ、ごみ入れとして支障のない強度があれば、どの種類の合成樹脂でもよい。薄膜であるシートの固着は接着でも溶着でも構わない。淵に取り付けるためのフック１１は淵に取り付けた後、容易に外れたりしない構造がよく、フック内側に凹凸を付け滑り止めを加工することもよい。小型ごみ入れの色は車内の色に合わせることにより、おしゃれになり、目立たなくなるため、違和感がなくなり、より良い。
【産業上の利用可能性】
【００１１】
本案件の図３を試作し、車の運転に支障がないこと、助手席同乗者、および後部座席同乗者に支障がないことを確認するとともに、小型ごみ入れの利便性も確認した。ゴミが一杯になったとき車外の大きなごみ入れにゴミを入れるときに押し込まれて通常は取り出しにくいゴミも薄膜を引っ張ることで一瞬にゴミが捨てられることも確認した。取り付け取り外しに支障がないことも確認した。構造が簡単で、車内のスペースにも居住性にも影響を与えない便利な小型ごみ入れで快適なドライブを提供できる。
【符号の説明】
【００１２】
１     小型ごみ入れ
２     ドリンクポッケット
３     運転席座席
４     ハンドル
５     ドアノブ
６     ドア開閉スイッチ
７     ポケット
８     助手席
９     薄膜
１０    両面テープ
１１    フック
１２    薄膜固着部
１３    凸部
１４    嵌合用孔
【図１】
0003224116.tif 000003
【図２】
0003224116.tif 000004
【図３】
0003224116.tif 000005
【図４】
0003224116.tif 000006
【図５】
0003224116.tif 000007
【図６】
0003224116.tif 000008
【手続補正書】
【提出日】令和1年9月24日(2019.9.24)
【手続補正１】
【補正対象書類名】実用新案登録請求の範囲
【補正対象項目名】全文
【補正方法】変更
【補正の内容】
【実用新案登録請求の範囲】
【請求項１】
ほぼ長方体の形に底を取り付けて、そのほぼ長方体の片側の内側上        面に長手方向長さより短い薄膜の一端を固着し、薄膜はほぼ長方体の内面に沿わせて内面を覆い長手方向の他端から手でつまめる長さ分を垂れ下げた状態で、垂れ下がった部分が容易に移動しない様、粘着剤または磁石または面ファスナーで固定したり、他の嵌合する方法で固定した小型ごみ入れを着脱自在にするため、薄膜を固定した側の長手方向にぶら下げるためのフックを設け、車のドアのドリンクボックスの淵、座席の裏側のポケットの淵に差し込み、ゴミがたまったら、小型ごみ入れを淵から外して、車外の大きなごみ入れにゴミを捨てる。捨てるときは小型ごみ入れをさかさまにし固着していない方の薄膜の固定を外した後、下側に引っ張ることで取り出しにくいゴミも一瞬で大きなごみ入れに入れることが出来る。ゴミを出した後の薄膜は元の位置へ戻しておく。このような特徴を持つ小型ごみ入れ。